(57)【要約】    【課題】サイズが２種類以上ある媒体を同一の吸入口で分離する場合、幅の小さい媒体が斜行するという問題が発生する。    【解決手段】ホッパ２０は媒体を重積するホッパベット２７と、媒体を重積する際の基準面となる第１の側壁４４と、第１の側壁４４に対向する第２の側壁４５と、第１の側壁４４と第２の側壁４５の間に上下可動に設けられた媒体押えガイド４３と、媒体の分離ローラ２３とで構成される。重積媒体４１と重積媒体４２を一度に処理する場合は、まず幅の小さな重積媒体４１をホッパベッド２７の基準面である第１の側壁４４と上方向に持ち上げられている媒体押えガイド４３の間にセットする。そして幅の大きな重積媒体４２をホッパベッド２７の第１の側壁４４と第２側壁４５の間で、幅の小さな重積媒体４１の上に重ねてセットする。【選択図】  図２
2005343595.tif 000002
【特許請求の範囲】
【請求項１】
媒体をセットするホッパベッドを有するホッパと、前記ホッパベッド上にセットされた媒体を前記ホッパから一枚ずつ繰り出す分離ローラを有する媒体分離機構において、前記ホッパは、前記ホッパベットに媒体をセットする際の基準面となる第１の側壁と、該第１の側壁に対向する第２の側壁と、前記第１および第２の側壁の間の前記ホッパベットに上下可動に設けられた媒体押えガイドとを有することを特徴とする媒体分離機構。
【請求項２】
前記媒体押えガイドは、媒体の繰り出し方向に高さが低くなる傾斜した上部を有することを特徴とする請求項１記載の媒体分離機構。
【請求項３】
媒体をセットするホッパベッドを有するホッパと、前記ホッパベッド上にセットされた媒体を前記ホッパから一枚ずつ繰り出す分離ローラを有する媒体分離機構において、前記ホッパは、前記ホッパベットに媒体をセットする際の基準面となる第１の側壁と、該第１の側壁に対向する第２の側壁とを有し、前記ホッパベットは前記第１の側壁と前記第２の側壁の間に段差を有することを特徴とする媒体分離機構。
【請求項４】
前記ホッパベットの段差は、媒体の繰り出し方向に向かって高さが低くなっていることを特徴とする請求項３記載の媒体分離機構。
【請求項５】
媒体をセットするホッパと、該ホッパにセットされた媒体を一枚ずつ繰り出す分離機構と、繰り出された媒体を搬送する搬送路と、前記媒体の表面に記録されている情報を読み取る第１の読取部と、前記媒体の裏面に記録されている情報を読み取る第２の読取部と、前記媒体に必要な情報を印刷する印刷部と、前記第１および第２の読取部の読み取り結果に応じて前記媒体をスタックする複数のスタッカとを有する媒体読取装置において、前記ホッパは、前記媒体を重積するホッパベットと、該ホッパベットに前記媒体を重積する際の基準面となる第１の側壁と、該第１の側壁に対向する第２の側壁と、前記第１および第２の側壁の間の前記ホッパベットに上下可動に設けられた媒体押えガイドとを有することを特徴とする媒体読取装置。
【請求項６】
媒体をセットするホッパと、該ホッパにセットされた媒体を一枚ずつ繰り出す分離機構と、繰り出された媒体を搬送する搬送路と、前記媒体の表面に記録されている情報を読み取る第１の読取部と、前記媒体の裏面に記録されている情報を読み取る第２の読取部と、前記媒体に必要な情報を印刷する印刷部と、前記第１および第２の読取部の読み取り結果に応じて前記媒体をスタックする複数のスタッカとを有する媒体読取装置において、前記ホッパは、前記媒体を重積するホッパベットと、該ホッパベットに媒体を重積する際の基準面となる第１の側壁と、該第１の側壁に対向する第２の側壁とを有し、前記ホッパベットは前記第１の側壁と前記第２の側壁の間に段差を有することを特徴とする媒体読取装置。
【発明の詳細な説明】
【技術分野】
【０００１】
本発明は、ホッパにセットされたサイズの異なる媒体を、一枚ずつ分離して繰り出すことができる媒体分離機構に関する。また、このような媒体分離機構を搭載した媒体読取装置に関する。
【背景技術】
【０００２】
特許文献１には、ホッパに装填された紙葉類の分離部を、紙葉類を平ベルトに押圧する重りと、搬送されてくる紙葉類の先端をさばく傾斜ガイドと、傾斜ガイドを通過した紙葉類をその搬送方向に対して直角方向に波形変形させる用紙ガイドとで構成するとともに、搬送ローラとブレーキ部材を対向させて設けた紙葉類放出機構が開示されている。
【０００３】
ホッパに集積された媒体の分離は、上記特許文献１に記載のように同一形状の媒体が集積されている状態での分離技術はあるが、取り扱う媒体のサイズが２種類以上ある場合は、吸入口を複数設けるか、媒体のサイズに合わせて吸入口の側面ガイドの位置を変更することになる。
【０００４】
【特許文献１】特開２００１−３３５１７５号公報
【発明の開示】
【発明が解決しようとする課題】
【０００５】
媒体の吸入口を複数設ける場合は大きな実装スペ−スが必要となり、吸入口の側面ガイドの位置を変更する場合は手間がかかるという問題がある。サイズが２種類以上ある媒体を同一の吸入口で分離する場合、幅の小さい媒体が斜行するという問題が発生するが、この斜行を簡単な機構を用いて防止することが課題である。
【０００６】
本発明の目的は、ホッパにセットされたサイズの異なる媒体を、一枚ずつ分離して繰り出すことができる媒体分離機構を提供することである。
【０００７】
本発明の他の目的は、ホッパにセットされたサイズの異なる媒体を、一枚ずつ分離して繰り出す媒体分離機構を搭載した媒体読取装置を提供することである。
【課題を解決するための手段】
【０００８】
上記目的を達成するために、本発明の媒体分離機構においては、媒体をセットするホッパベッドを有するホッパと、前記ホッパベッド上にセットされた媒体を前記ホッパから一枚ずつ繰り出す分離ローラを有し、前記ホッパは、前記ホッパベットに媒体をセットする際の基準面となる第１の側壁と、該第１の側壁に対向する第２の側壁と、前記第１および第２の側壁の間の前記ホッパベットに上下可動に設けられた媒体押えガイドとを有することを特徴とする。
【０００９】
前記媒体押えガイドは、媒体の繰り出し方向に高さが低くなる傾斜した上部を有する。
【００１０】
上記目的を達成するために、本発明の媒体分離機構においては、媒体をセットするホッパベッドを有するホッパと、前記ホッパベッド上にセットされた媒体を前記ホッパから一枚ずつ繰り出す分離ローラを有し、前記ホッパは、前記ホッパベットに媒体をセットする際の基準面となる第１の側壁と、該第１の側壁に対向する第２の側壁とを有し、前記ホッパベットは前記第１の側壁と前記第２の側壁の間に段差を有することを特徴とする。
【００１１】
前記ホッパベットの段差は、媒体の繰り出し方向に向かって高さが低くなっている。
【００１２】
上記他の目的を達成するために、本発明の媒体読取装置においては、媒体をセットするホッパと、該ホッパにセットされた媒体を一枚ずつ繰り出す分離機構と、繰り出された媒体を搬送する搬送路と、前記媒体の表面に記録されている情報を読み取る第１の読取部と、前記媒体の裏面に記録されている情報を読み取る第２の読取部と、前記媒体に必要な情報を印刷する印刷部と、前記第１および第２の読取部の読み取り結果に応じて前記媒体をスタックする複数のスタッカとをし、前記ホッパは、前記媒体を重積するホッパベットと、該ホッパベットに前記媒体を重積する際の基準面となる第１の側壁と、該第１の側壁に対向する第２の側壁と、前記第１および第２の側壁の間の前記ホッパベットに下可動に設けられた媒体押えガイドとを有することを特徴とする。
【００１３】
上記他の目的を達成するために、本発明の媒体読取装置においては、媒体をセットするホッパと、該ホッパにセットされた媒体を一枚ずつ繰り出す分離機構と、繰り出された媒体を搬送する搬送路と、前記媒体の表面に記録されている情報を読み取る第１の読取部と、前記媒体の裏面に記録されている情報を読み取る第２の読取部と、前記媒体に必要な情報を印刷する印刷部と、前記第１および第２の読取部の読み取り結果に応じて前記媒体をスタックする複数のスタッカとを有し、前記ホッパは、前記媒体を重積するホッパベットと、該ホッパベットに媒体を重積する際の基準面となる第１の側壁と、該第１の側壁に対向する第２の側壁とを有し、前記ホッパベットは前記第１の側壁と前記第２の側壁の間に段差を有することを特徴とする。
【発明の効果】
【００１４】
本発明によれば、同一の吸入口で異なるサイズの重積媒体を分離することが可能となる。
【発明を実施するための最良の形態】
【００１５】
本発明の一実施例による媒体分離機構及び媒体読取装置を図面を参照して説明する。図１は本発明の一実施例による媒体読取装置の全体構成図、図２は本発明の一実施例による媒体分離機構の構成図、図３は本発明の他の実施例による媒体分離機構の構成図である。
【００１６】
図１及び図２を参照するに、媒体読取装置１は、特定種類の小さな重積媒体４１を下にセットし、前記媒体４１より大きいサイズの異なる特定種類の重積媒体４２を小さな重積媒体４１の上にセットした状態で、媒体４１、４２を上から１枚ずつ分離して繰り出し可能なホッパ（吸入口部）２０と、繰り出された媒体４１，４２を挟持して搬送する複数の搬送ローラ２及びプレッシャーローラ１２、搬送路９と、処理中の媒体の位置を検出する透過型センサ１５及び複数の１６と、図示はしていないがベルト又はギアを介して搬送ローラ２に駆動を伝達する搬送モータ１４と、ホッパ２０のピックアップローラ２３を駆動する分離モータ１３と、搬送された媒体の表面の文字やバーコード、マークカードの塗りつぶし等を読み取る表読取部（第１の読取部）３と、媒体の裏面のバーコードを読み取る裏読取部（第２の読取部）４と、読み取りの結果等を印刷する印刷部５と、読み取り結果に応じて複数枚スタック可能なスタッカ６，７，８と、搬送路９を切り替える切替ゲート１０，１１と、図示はしないが制御部と電源から構成される。媒体４１，４２は、例えば、ナンバーズくじ等の、マークカードやくじ券等である。
【００１７】
図２を参照するに、ホッパ２０は媒体を重積するホッパベット２７と、媒体をホッパベット２７に重積する際の基準面となる第１の側壁４４と、第１の側壁４４に対向してホッパベット２７に形成された第２の側壁４５と、ホッパベット２７の第１の側壁４４と第２の側壁４５の間に設けられスプリング等により上下方向に可動である媒体押えガイド４３と、媒体の分離ローラ（ピックアップローラ）２３とで構成される。
【００１８】
幅の小さな重積媒体４１のみを処理する場合は、まず、操作者がホッパベッド２７を手動で下方向に下げて固定し、幅小さな重積媒体４１をホッパベッド２７の基準面４４とスプリングにより上方向に持ち上げられている媒体押えガイド４３の間にセットする。媒体４１をセット後にホッパベット２７の固定を解除するとホッパベッド２７はスプリング等により上方向に復旧し、媒体４１が分離ローラ２３に押し付けられた状態となる。媒体セット後のホッパベッド２７の上方向への復旧動作については、センサ等により媒体を検出することによりモータ等のアクチュエータが動作する自動方式も可能である。
【００１９】
幅の大きな重積媒体４２のみを処理する場合は、操作者がホッパベッド２７を手動で下方向に下げて固定し、幅の大きな重積媒体４２をホッパベッド２７の第１の側壁４４と第２の側壁４５の間にセットする。媒体押えガイド４３は、媒体４２の重さで下方に下がり、その上部はホッパベット２７と同一面となる。媒体セット後の動作は前記幅の小さな重積媒体４１の処理時と同様である。
【００２０】
重積媒体４１と重積媒体４２を一度に処理する場合は、操作者がホッパベッド２７を手動で下方向に下げて固定し、まず小さな重積媒体４１をホッパベッド２７の基準面である第１の側壁４４と上方向に持ち上げられている媒体押えガイド４３の間にセットする。そして大きな重積媒体４２をホッパベッド２７の第１の側壁４４とホッパベッド２７の第２側壁４５の間で、幅の小さな重積媒体４１の上に重ねてセットする。媒体セット後の動作は前記幅の小さな重積媒体４１の処理時と同様である。
【００２１】
図３は、上下に可動な媒体押えガイド４３の代わりに、ピックアップローラ２３から離れた位置では大きな段差４６を有し、ピックアップローラ２３に近づくにつれ段差４６が小さくなり、ピックアップローラ２３近傍では段差４６がなくなるという段差４６をホッパベット２７に設けたものである。ホッパベッド２７に対し、２種類の幅の異なる重積媒体を、幅の小さい媒体４１を段差４６に合わせてセットし、その上に幅の大きい媒体４２をセットするものである。媒体セット後の動作は前記小さな重積媒体４１の処理時と同様である。
【００２２】
以上の説明のとおり本発明によれば、サイズが２種類以上ある媒体を同一の吸入口で分離する場合、幅の小さい媒体が斜行するという問題が発生するが、この斜行を簡単な機構で防止することができる。
【図面の簡単な説明】
【００２３】
【図１】本発明の一実施例による媒体読取装置の構成を示す断面図である。
【図２】本発明の一実施例による媒体分離機構を一部透視で示した斜視図である。
【図３】本発明の他の実施例による媒体分離機構を一部透視で示した斜視図である。
【符号の説明】
【００２４】
１…媒体読取装置、２…搬送ローラ、３…第１読取部（表読取部）、
４…第２読取部（裏読取部）、５…印刷部、６，７，８…排出スタッカ、９…搬送路、
１０，１１…切替ゲート、１２…プレッシャーローラ、１３…分離モータ、
１４…搬送モータ、１５，１６…透過型センサ、２０…媒体分離機構、
２３…ピックアップローラ、２４…フィードローラ、２７…ホッパベット、
４１…小さな重積媒体、４２…大きな重積媒体、４３…媒体押えガイド、
４４…第１の側壁（基準面）、４５…第２の側壁、４６…段差。
【図１】
2005343595.tif 000003
【図２】
2005343595.tif 000004
【図３】
2005343595.tif 000005